(57)【要約】 【課題】本発明は、名刺に関する発明である。【解決手段】本発明は、右側に顔写真４ｄを表示し左側に前記顔写真４ｄの人物のメッセージ４ａと役職及び氏名４ｂと連絡先４ｃを表示した第一面４を中央の山折線４ｅより上部に設け、前記顔写真４ｄの人物の個人プロフィール５ａと所属する会社データ５ｂを表示し一部にフリースペース５ｃを設けた第二面５を前記山折線４ｅより下部に設けた表面２と、カード名６ａとカード名６ａにまつわるキャラクター６ｂとキャラクター説明６ｃを表示した第三面６を谷折線６ｄより上部即ち前記第一面４の背面に設け、上部にタイトル７ｂを表示し左側に一部がスクラッチ膜７ｅで覆われたお神籤となっているポイント押印欄７ａを設け左側にカード説明文７ｃと相手情報記載欄７ｄを設けた第四面７を谷折線６ｄより下、即ち前記第二面５の背面に設けた裏面３とからなり、前記第一面４、第二面５、第三面６及び第四面７をカードサイズとしたことを特徴とするポイント兼名刺１の構成とした。【選択図】  図１
2006082458.tif 000002
【特許請求の範囲】
【請求項１】
右側に顔写真を表示し左側に前記顔写真の人物のメッセージと役所及び氏名と連絡先を表示した第一面を中央の山折線より上部に設け、前記顔写真の人物の個人プロフィールと所属する会社データを表示し一部にフリースペースを設けた第二面を前記山折線より下部に設けた表面と、カード名とカード名にまつわるキャラクターと前記キャラクター説明を表示した第三面を谷折線より上部即ち前記第一面の背面に設け、上部にタイトルを表示し左側に一部がスクラッチ膜で覆われたお神籤となっているポイント押印欄を設け左側にカード説明文と相手情報記載欄を設けた第四面を谷折線より下即ち前記第二面の背面に設けた裏面とからなり、前記第一面、第二面、第三面及び第四面をカードサイズとしたことを特徴とするポイント兼名刺。
【発明の詳細な説明】
【技術分野】
【０００１】
本発明は、自分の氏名や会社・役職等を相手に認識してもらうために使用する名刺に関する発明である。
【背景技術】
【０００２】
従来の名刺は表面に会社名、氏名、連絡先等の情報が表示され背面は何も記載されていない場合や、表面には日本語で連絡先等の情報を表示し、背面には英語で連絡先等の情報を表示する形であった。
【０００３】
しかしながら、従来の名刺は、自分の氏名や会社・役職等を相手に認識してもらうためだけのもので、相手に渡してしまえばそれで終わりであった。その後はその他大勢の名刺と一緒にされたり捨てられてしまうものが殆どで、その場合は名刺の人物を覚えてもらえるはずもなく、名刺としての役割を果たせないものが多かった。  
【発明の開示】
【発明が解決しようとする課題】
【０００４】
そこで、本発明は、相手に渡して終わりの名刺ではなく、この名刺を利用してもらうことで名刺の人物の認識度を上げるとともに、仕事にも貢献する役割を最大限に生かすポイントカード兼名刺を提供することを目的とするものである。
【課題を解決するための手段】
【０００５】
本発明は、上記の課題を解決するために、 右側に顔写真４ｄを表示し左側に前記顔写真４ｄの人物のメッセージ４ａと役職及び氏名４ｂと連絡先４ｃを表示した第一面４を中央の山折線４ｅより上部に設け、前記顔写真４ｄの人物の個人プロフィール５ａと所属する会社データ５ｂを表示し一部にフリースペース５ｃを設けた第二面５を前記山折線４ｅより下部に設けた表面２と、カード名６ａとカード名６ａにまつわるキャラクター６ｂとキャラクター説明６ｃを表示した第三面６を谷折線６ｄより上部即ち前記第一面４の背面に設け、上部にタイトル７ｂを表示する欄を設け左側に一部がスクラッチ膜７ｅで覆われたお神籤となっているポイント押印欄７ａを設け左側にカード説明文７ｃと相手情報記載欄７ｄを設けた第四面７を谷折線６ｄより下、即ち前記第二面５の背面に設けた裏面３とからなり、前記第一面４、第二面５、第三面６及び第四面７をカードサイズとしたことを特徴とするポイント兼名刺１の構成とした。
【発明の効果】
【０００６】
本発明のポイントカード兼名刺は、名刺にポイントカードとしての特典を付けることで渡した相手にポイントカードとしての利用価値が生まれ、ポイントカードを利用するたびに一体となった名刺を見ることとなりため印象が強くなる。
【０００７】
また、渡す側にとっては一瞬で見分けのつかないようなその他大勢の名刺と一緒にされたり捨てられたりする可能性が低くなる。
【発明を実施するための最良の形態】
【０００８】
その他大勢の名刺と一緒にされたり捨てられたりする危険が少なく、なおかつ名刺の人物をよく覚えてもらうという目的を、ポイントカード兼名刺とすることで実現した。
【実施例１】
【０００９】
以下に添附図面に基づき、本発明であるポイントカード兼名刺について詳細に説明する。図１は、本発明であるポイントカード兼名刺の斜視図、図２はポイントカード兼名刺の正面展開図、図３はポイントカード兼名刺の背面展開図である。
【００１０】
図１に示すように、本発明であるポイントカード兼名刺１は二つ折りになっており、山折線４ｅを境にして上面に第一面４、下面に第二面５が位置し、前記第一面４の裏面には第三面６、前記第二面５の裏面には第四面７が配置してある。
【００１１】
前記ポイントカード兼名刺１の第一面から第四面４、５、６、７はカードサイズであり、財布の中に収納することが出来なかった名刺とは異って財布に入れることができるため、渡された者が財布に入れたまま持ち歩く機会が多い。
【００１２】
図２に示すように本発明であるポイントカード兼名刺１の表面２は、中央に山折線４ｅがあり前記山折線４ｅより上面に前記第一面４が位置し、前記山折線４ｅより下面に前記第二面５が位置している。
【００１３】
前記第一面４及び第二面５は本発明であるポイントカード兼名刺１の中で名刺の役割をする面であり、その中でも第一面４は最も印象を強く残すための面である。即ち名刺を配る者の顔写真４ｄを右側に大きく表示することで顔を印象づけ、前記写真の左側に大きな文字でメッセージ４ａを記載する欄を設けて人間性を読み取らせることができる。
【００１４】
また、前記メッセージ４ａの下に役職及び氏名４ｂを記載し、更にその下に連絡先４ｃを記載したように、最小限の情報だけで渡す相手に強い印象を与えることが出来る。尚、前記メッセージ４ａの内容は自由であり、座右の銘やお客様に対する姿勢など受けとった側に良い印象を与える言葉を記載することで名刺としての効果が増す。
【００１５】
前記第二面５は、更に細かい個人情報を記載する面である。前記第一面４に記載できなかった情報、例えば、出身地、生年月日、星座、血液型、趣味等の個人プロフィール５ａを左上部に記載し、右上部にはフリースペース５ｃとして自分の好きな物の絵や写真とそれに関する紹介文等を記載し、ポイントカード兼名刺１を受けとった側に更に強い印象を与えることができる。
【００１６】
また、下部には会社データ５ｂとして会社名、会社所在地、電子メールアドレス、電話番号、ファックス番号等を記載している。
【００１７】
図３が示すように本発明であるポイントカード兼名刺１の裏面３は、中央に谷折線６ｄがあり前記谷折線６ｄより上面に前記第三面６が位置し、前記谷折線６ｄより下面に前記第四面７が位置している。また、前記第三面６は前記第一面４の裏面であり、前記第四面７は前記第二面５の裏面である。
【００１８】
前記第三面６及び第四面７は本発明であるポイントカード兼名刺１の中でポイントカードの役割をする面である。本発明では、第三面６の上部中央にポイントカードのカード名６ａが記載し、その下にはポイントカードの趣旨にあう複数のキャラクター６ｂを表示し、更に、前記キャラクター６ｂの下にキャラクター説明６ｃを記載する。このキャラクター６ｂは、実施例では福をもたらすように七福神としたが、その他キャラクターを表示してもよい。
【００１９】
前記第四面７の左側にはポイント押印欄７ａを設け、右側にカード説明文７ｃを記載し、上部にタイトル７ｂを記載した。また、前記カード説明文７ｃの下には相手情報記載欄７ｄとして、ポイントカードを使用する者の住所、氏名等を記載する欄を設けた。
【００２０】
前記押印欄７ａの一つはスクラッチ膜７ｅで覆われており、内部にはお神籤が記載されている。これにより本発明であるポイントカード兼名刺１を受けとった人がコイン等で前記スクラッチ膜７ｅを削り運試しをして楽しむ事で、名刺をくれた人又はその会社の印象が強くなる。
【００２１】
前記第三面６及び第四面７の記載内容やレイアウトはこれに限定するものではなく、例えば、第三面６及び第四面７の両方をポイント押印欄７ａにしてもよく、ポイントカード兼名刺１という特徴を生かし、自由に配置して良い。
【図面の簡単な説明】
【００２２】
【図１】本発明であるポイントカード兼名刺の斜視図である。
【図２】本発明であるポイントカード兼名刺の正面展開図である。
【図３】本発明であるポイントカード兼名刺の背面展開図である。
【符号の説明】
【００２３】
１      ポイントカード兼名刺
２      表面
３      裏面
４      第一面
４ａ    メッセージ
４ｂ    役職及び氏名
４ｃ    連絡先
４ｄ    顔写真
４ｅ    山折線
５      第二面
５ａ    個人プロフィール
５ｂ    会社データ
５ｃ    フリースペース
６      第三面
６ａ    カード名
６ｂ    キャラクター
６ｃ    キャラクター説明
６ｄ    谷折線      
７      第四面
７ａ    ポイント押印欄
７ｂ    タイトル
７ｃ    カード説明文
７ｄ    相手情報記載欄
７ｅ    スクラッチ膜
【図１】
2006082458.tif 000003
【図２】
2006082458.tif 000004
【図３】
2006082458.tif 000005